【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
ギャップによって間隔を空けられた、嵌合する第一の機能的表面と第二の機能的表面とを密封する際に使用するために適合された、シールアセンブリであって、該第一の機能的表面は、環状のシールアセンブリ受容溝を備え、該溝は、ほぼ軸方向の基部表面と、該基部表面からほぼ直角に延びる、ほぼ円形の第一の側部表面および第二の側部表面によって規定されており、該シールアセンブリは、
該シールアセンブリ受容溝内に位置するように構成された、密封要素であって、該密封要素は、フット部分およびレッグ部分を有し、該フット部分は、該基部表面に対して実質的に平行に延び、そして該第二の機能的表面と少なくとも部分的に係合するように位置決めされた上表面を有し、そして該レッグ部分は、該フット部分から該基部表面の方へと延び、該レッグ部分は、第一の表面および第二の表面を有し、第一の先端角度が、該フット部分の上表面および該レッグ部分の第一の表面によって規定される円形移行部によって規定され、そして該レッグ部分の第二の表面と該第二の機能的表面との間の第二の先端角度は、鋭角である、密封要素；
補助リングであって、該補助リングは、比較的硬い材料から作製されており、そして該密封要素に隣接して該シールアセンブリ受容溝内に位置し、該密封要素が押し出されて該第一の機能的表面と第二の機能的表面との間のギャップに入ることを防止するように構成されており、該補助リングは、第一の面および第二の面を有し、該補助リングの第一の面は、該密封要素のレッグ部分の第二の表面と少なくとも部分的に相補的に嵌合するように構成されており、該補助リングの第二の面は、該シールアセンブリ受容溝の第一の側部表面および第二の側部表面のうちの一方と少なくとも部分的に嵌合するように構成されている、補助リング；ならびに
該基部表面と該密封要素のフット部分との間で、該シールアセンブリ受容溝内に位置するように構成されたエネルギー付与要素であって、該エネルギー付与要素は、該エネルギー付与要素が圧縮された状態にある場合に、該密封要素のレッグ部分とフット部分とに、均一な圧力を付与する、エネルギー付与要素、
を備える、シールアセンブリ。
【請求項２】
前記エネルギー付与要素が、前記密封要素のレッグ部分にカム作用して、前記補助リングの第一の面に対して均一な圧力を提供する、請求項１に記載のシールアセンブリ。
【請求項３】
前記フット部分が、該フット部分の下表面に少なくとも１つの溝を備え、該少なくとも１つの溝は、前記第二の機能的表面に面する、請求項１に記載のシールアセンブリ。
【請求項４】
前記少なくとも１つの溝の上部分が円弧状である、請求項３に記載のシールアセンブリ。
【請求項５】
前記少なくとも１つの溝が、少なくとも１つの側部分を備え、該側部分は、前記フット部分の下表面に対して角度を付けられている、請求項３に記載のシールアセンブリ。
【請求項６】
前記第一の先端角度と前記第二の先端角度との合計が、約１８０°である、請求項１に記載のシールアセンブリ。
【請求項７】
前記補助リングの第一の面と前記第二の機能的表面との間の、第三の先端角度が、鈍角である、請求項１に記載のシールアセンブリ。
【請求項８】
前記補助リングの第一の面と前記第二の機能的表面との間の第三の先端角度が、前記第一の先端角度とおよそ等しい、請求項１に記載のシールアセンブリ。
【請求項９】
前記補助リングが、前記第二の機能的表面に面する第三の面を備え、該補助リングの第三の面が、凹部を備え、該凹部は、該第二の機能的表面から少なくとも部分的に間隔を空けている、請求項１に記載のシールアセンブリ。
【請求項１０】
前記凹部が、ほぼ「Ｖ」字の形状である、請求項９に記載のシールアセンブリ。
【請求項１１】
前記エネルギー付与要素が圧縮状態にある場合に、前記補助リングの第三の面の少なくとも一部が、前記第二の機能的表面をこするように構成されている、請求項９に記載のシールアセンブリ。
【請求項１２】
前記シールアセンブリが使用中である場合に、前記補助リングが、前記第二の機能的表面をこするように構成されている、請求項１に記載のシールアセンブリ。
【請求項１３】
ギャップによって間隔を空けている、嵌合する第一の機能的表面と第二の機能的表面とを密封する際に使用するために適合されている、シールアセンブリであって、該第一の機能的表面は、第一の環状シールアセンブリ受容溝および第二の環状シールアセンブリ受容溝を備え、該第一の溝および第二の溝の各々は、ほぼ軸方向の基部表面と、該それぞれの基部表面からほぼ直角に延びるほぼ円形の第一の側部表面および第二の側部表面とによって規定されており、該シールアセンブリは、
第一の密封要素であって、該第一の密封要素は、該第一のシールアセンブリ受容溝内に配置され、そして該第一の機能的表面と少なくとも部分的に係合するように位置決めされるように構成されている、第一の密封要素；
該第二のシールアセンブリ受容溝内に配置されるように構成された、第二の密封要素であって、該第二の密封要素は、フット部分およびレッグ部分を有し、該フット部分は、該第二のシールアセンブリ受容溝の該基部表面に対して実質的に平行に延び、そして該第二の機能的表面と少なくとも部分的に係合するように位置決めされており、そして該レッグ部分は、該フット部分から該基部表面の方へと延び、該レッグ部分は、第一の表面および第二の表面を有し、該レッグ部分の第一の表面と該フット部分との間の第一の先端角度は、鈍角であり、そして該レッグ部分の第二の表面と該フット部分との間の第二の先端角度は、鋭角である、第二の密封要素；
比較的硬い材料から作製される補助リングであって、該補助リングは、該第二のシールアセンブリ受容溝内に、該第二の密封要素に隣接して配置されて、該第二の密封要素が押し出されて該第一の機能的表面と第二の機能的表面との間のギャップに入ることを防止するように構成されており、該補助リングは、第一の面、第二の面、および第三の面を有し、該補助リングの第一の面は、該第二の密封要素のレッグ部分の第二の表面と少なくとも部分的に相補的に嵌合するように構成されており、該補助リングの第二の面は、該第二のシールアセンブリ受容溝の第一の側部表面および第二の側部表面のうちの一方と少なくとも部分的に嵌合するように構成されており、該補助リングの第三の面は、該第二の機能的表面に面し、そして角度の付いた凹部を備え、該角度の付いた凹部は、該第二の機能的表面から少なくとも部分的に間隔を空けている、補助リング；ならびに
該第二のシールアセンブリ受容溝内で、該基部表面と該第二の密封要素のフット部分との間に配置されるように構成された、エネルギー付与要素であって、該エネルギー付与要素は、該エネルギー付与要素が圧縮された状態にある場合に、該第二の密封要素のレッグ部分とフット部分とに均一な圧力を付与する、エネルギー付与要素、
を備える、シールアセンブリ。
【請求項１４】
前記補助リングの第三の面の少なくとも一部が、前記エネルギー付与要素が圧縮された状態にある場合に前記第二の機能的表面をこするように構成されている、請求項１３に記載のシールアセンブリ。
【請求項１５】
前記第一の密封要素が、前記第一の機能的表面と第二の機能的表面との間に、一方向シールを形成する、請求項１３に記載のシールアセンブリ。
【請求項１６】
前記第二の密封要素が、前記第一の機能的表面と第二の機能的表面との間に、一方向シールを形成する、請求項１３に記載のシールアセンブリ。
【請求項１７】
ギャップによって間隔を空けられている、嵌合する第一の機能的表面と第二の機能的表面とを密封する際に使用するために適合された、シールアセンブリであって、該第一の機能的表面は、第一の環状シールアセンブリ受容溝、第二の環状シールアセンブリ受容溝および第三の環状シールアセンブリ受容溝を備え、該第一の環状シールアセンブリ受容溝、第二の環状シールアセンブリ受容溝および第三の環状シールアセンブリ受容溝の各々は、ほぼ軸方向の基部表面と、該それぞれの基部表面からほぼ直角に延びるほぼ円形の第一の側部表面および第二の側部表面とにより規定されており、該シールアセンブリは、
第一の密封要素であって、該第一の密封要素は、該第一のシールアセンブリ受容溝内に配置され、そして該第一の機能的表面と少なくとも部分的に係合するように位置決めされるように構成されている、第一の密封要素；
該第二のシールアセンブリ受容溝内に配置されるように構成された第二の密封要素であって、該第二の密封要素は、フット部分およびレッグ部分を有し、該フット部分は、該第二のシールアセンブリ受容溝の基部表面に対して実質的に平行に延び、そして該第二の機能的表面と少なくとも部分的に係合するように位置決めされており、そして該レッグ部分は、該フット部分から該基部表面の方へと延び、該レッグ部分は、第一の表面および第二の表面を有し、該レッグ部分の第一の表面と該フット部分との間の第一の先端角度は、鈍角であり、そして該レッグ部分の第二の表面と該フット部分との間の第二の先端角度は、鋭角である、第二の密封要素；
比較的硬い材料から作製された補助リングであって、該補助リングは、該第二のシールアセンブリ受容溝内で、該第二の密封要素に隣接して配置され、該第二の密封要素が押し出されて該第一の機能的表面と第二の機能的表面との間のギャップに入ることを防止するように構成されており、該補助リングは、第一の面および第二の面を有し、該補助リングの第一の面は、該第二の密封要素のレッグ部分の第二の表面と少なくとも部分的に相補的に嵌合するように構成されており、該補助リングの第二の面は、該第二のシールアセンブリ受容溝の第一の側部表面および第二の側部表面のうちの一方と少なくとも部分的に嵌合するように構成されている、補助リング；
該第二のシールアセンブリ受容溝内で、該基部表面と該第二の密封要素のフット部分との間に配置されるように構成された、エネルギー付与要素であって、該エネルギー付与要素は、該エネルギー付与要素が圧縮された状態にある場合に、該第二の密封部材のレッグ部分とフット部分とに、均一な圧力を付与する、エネルギー付与要素；ならびに
第三のシールアセンブリ受容溝内に配置され、そして該シールアセンブリが使用中である場合に、該第二の機能的表面と少なくとも部分的に係合するように位置決めされている、スクレーパ要素、
を備える、シールアセンブリ。
【請求項１８】
前記スクレーパ要素が、前記第二の機能的表面に面する第一の面を備え、該スクレーパ要素の第一の面は、角度の付いた凹部を備え、該角度の付いた凹部は、該第二の機能的表面から少なくとも部分的に間隔を空けている、請求項１７に記載のシールアセンブリ。
【請求項１９】
前記第一の密封要素が、前記第一の機能的表面と第二の機能的表面との間に、一方向シールを形成する、請求項１７に記載のシールアセンブリ。
【請求項２０】
ギャップにより間隔を空けられた、嵌合する第一の機能的表面と第二の機能的表面とを密封する際に使用するために適合された、シールアセンブリであって、該第一の機能的表面は、第一の環状シールアセンブリ受容溝および第二の環状シールアセンブリ受容溝を備え、該第一の溝および第二の溝は、各々、ほぼ軸方向の基部表面と、該それぞれの基部表面からほぼ直角に延びるほぼ円形の第一の表面および第二の表面とにより規定され、該シールアセンブリは、
第一の密封要素であって、該第一の密封要素は、該第一のシールアセンブリ受容溝内に配置され、そして該第一の機能的表面と少なくとも部分的に係合するように位置決めされるように構成されている、第一の密封要素；
第二の密封要素であって、該第二の密封要素は、該第二のシールアセンブリ受容溝内に配置されるように構成されており、そして該第二の機能的表面と少なくとも部分的に係合するように位置決めされる、第二の密封要素；
比較的硬い材料から作製された補助リングであって、該補助リングは、該第二のシールアセンブリ受容溝内に、該第二の密封要素に隣接して配置され、該第二の密封要素が押し出されて該第一の機能的表面と第二の機能的表面との間のギャップに入ることを防止するように構成されており、該補助リングは、第一の面、第二の面、および第三の面を有し、該補助リングの第一の面は、該第二の密封要素と少なくとも部分的に係合するように構成されており、該補助リングの第二の面は、該第二のシールアセンブリ受容溝の該第一の側部表面および第二の側部表面のうちの一方と少なくとも部分的に嵌合するように構成されており、該補助リングの第三の面は、該第二の機能的表面に面し、そして角度の付いた凹部を備え、該角度の付いた凹部は、該第二の機能的表面から少なくとも部分的に間隔を空けている、補助リング；ならびに
エネルギー付与要素であって、該エネルギー付与要素は、該第二のシールアセンブリ受容溝の内部で、該基部表面と該第二の密封要素との間に配置されるように構成されており、該エネルギー付与要素は、該エネルギー付与要素が圧縮された状態にある場合に、該第二の密封要素および該補助リングに圧力を付与する、エネルギー付与要素、
を備える、シールアセンブリ。
【請求項２１】
前記補助リングの第三の面の少なくとも一部が、前記エネルギー付与要素が圧縮状態にある場合に前記第二の機能的表面をこするように構成されている、請求項２０に記載のシールアセンブリ。